【手続補正書】
【提出日】平成25年3月19日(2013.3.19)
【手続補正１】
【補正対象書類名】特許請求の範囲
【補正対象項目名】全文
【補正方法】変更
【補正の内容】
【特許請求の範囲】
【請求項１】
所定シーンを構成する各画面の画像をつなぎ合わせた和集合画像を代表画像として作成する代表画像作成部と、
上記所定シーン内の各画面の全画面動きに基づいて、上記代表画像作成部で作成された上記代表画像の周縁部に、全画面動きを示すシンボルを描画するシンボル描画部と
を備える画像処理装置。
【請求項２】
上記シンボル描画部は、
出力機器における上記代表画像の表示サイズに応じて上記全画面動きを示すシンボルを描画する
請求項１に記載の画像処理装置。
【請求項３】
上記所定シーン内の各画面の全画面動きに基づいて、各画面の滞留数を算出する滞留数算出部をさらに備え、
上記滞留数算出部は、
所定の画面において、滞留していると判断するとき、該所定の画面の滞留数を０にすると共に、滞留カウンタを１だけインクリメントし、滞留していないと判断するとき、１つ前の画面の滞留数を上記滞留カウンタの値とし、該所定の画面の滞留数を１とすると共に、該滞留カウンタの値を１とし、さらに、最終画面の滞留数を上記滞留カウンタの値とし、
上記シンボル描画部は、
上記滞留数算出部で算出された各画面の滞留数に基づいて、上記代表画像作成部で作成された上記代表画像の周縁部に、全画面動きを示すシンボルを描画する
請求項１に記載の画像処理装置。
【請求項４】
上記シンボル描画部は、所定画面の滞留数が１以上のとき、上記代表画像の周縁部の該所定の画面に対応した位置に、上記シンボルを描画する
請求項３に記載の画像処理装置。
【請求項５】
上記シンボル描画部は、
上記所定の画面の滞留数が１以上Ｎ（Ｎは１以上の整数）以下であるとき、上記代表画像の周縁部の該所定の画面に対応した位置に、上記シンボルとして通常シンボルを描画し、
上記所定の画面の滞留数が上記Ｎを超えるとき、上記代表画像の周縁部の該所定の画面に対応した位置に、上記シンボルとして滞留シンボルを描画する
請求項４に記載の画像処理装置。
【請求項６】
上記シンボル描画部は、
上記シンボルとして上記全画面動きの方向に直交する方向に延びる線分状のシンボルを描画し、
上記所定の画面の滞留数がＮ以下で描画する上記通常シンボルの長さを、該所定の画面の全画面動きの大きさに対応した長さとする
請求項５に記載の画像処理装置。
【請求項７】
上記シンボル描画部は、
上記出力機器における上記周縁部の表示領域の上記全画面動きの方向に直交する方向の長さをＨとし、上記全画面動きの中で最大の動きをＭvmaxとし、さらに、各画面の全画面動きをＭvとするとき、上記所定の画面の滞留数が１以上Ｎ以下で描画する上記通常シンボルの長さｈを、Ｈ＊Ｍv／Ｍvmaxとする
請求項６に記載の画像処理装置。
【請求項８】
上記シンボル描画部は、
上記描画されるシンボル間の近接を判定し、該判定結果に応じて、上記所定の画面の滞留数が１以上Ｎ以下で描画される上記通常シンボルの描画態様を変化させる
請求項５に記載の画像処理装置。
【請求項９】
上記シンボル描画部は、
上記全画面動きの方向の上記描画されるシンボル間の距離が上記出力機器の表示領域上で所定値を超えるように、上記通常シンボルを所定数の画面毎に描画する
請求項８に記載の画像処理装置。
【請求項１０】
上記シンボル描画部は、
上記シンボルとして上記全画面動きの方向に直交する方向に延びる線分状のシンボルを描画し、
上記出力機器における上記周縁部の表示領域の、上記全画面動きの方向に直交する方向の長さをＨとし、上記全画面動きの中で最大の動きをＭvmaxとし、さらに、各画面の全画面動きをＭvとするとき、上記所定の画面の滞留数が１以上Ｎ以下で描画する上記通常シンボルの長さｈを、Ｈ＊Ｍv／Ｍvmaxとし、
上記所定数の画面毎に描画する上記通常シンボルを濃く描画し、その他の画面で上記通常シンボルを薄く描画する
請求項９に記載の画像処理装置。
【請求項１１】
上記シンボル描画部は、
上記全画面動きの方向の、上記描画されるシンボル間の距離が上記出力機器の表示領域上で所定値より小さいとき、各画面における前の画面との間の全画面動き差分に応じて、加速期間に対応して加速シンボルを描画し、等速期間に対応して等速シンボルを描画し、減速期間に対応して減速シンボルを描画する
請求項８に記載の画像処理装置。
【請求項１２】
上記所定シーン内の各画面の前の画面との間の全画面動き差分に基づいて、各画面の等速数を算出する等速数算出部をさらに備え、
上記等速数算出部は、
所定の画面において、滞留していると判断するとき、該所定の画面の等速数を０にすると共に、等速カウンタを１だけインクリメントし、滞留していないと判断するとき、１つ前の画面の等速数を上記等速カウンタの値とし、該所定の画面の等速数を１とすると共に、該等速カウンタの値を１とし、
上記シンボル描画部は、
上記所定の画面の等速数が１以上Ｍ（Ｍは１以上の整数）以下であるとき、上記代表画像の周縁部の該所定の画面に対応した位置に、上記加速シンボルまたは上記減速シンボルを表示し、
上記所定の画面の等速数が上記Ｍを超えるとき、上記代表画像の周縁部の該所定の画面に対応した位置に、上記等速シンボルを描画する
請求項１１に記載の画像処理装置。
【請求項１３】
上記等速数算出部は、
各画面の上記全画面動き差分を累積していく累積手段を有し、
上記所定の画面において、累積手段の累積値が閾値の範囲内にあるか否かにより、等速動きをしているか否かを判断し、さらに、等速動きをしていないと判断するとき上記累積手段の累積値を０にリセットする
請求項１２に記載の画像処理装置。
【請求項１４】
上記等速数算出部は、
上記所定の画面において、該所定の画面の上記全画面動き差分が閾値の範囲内にあるか否かにより、等速動きをしているか否かを判断する
請求項１２に記載の画像処理装置。
【請求項１５】
上記シンボル描画部は、
上記全画面動きの方向の１画面分の長さをＳとし、上記全画面動きの累積値をＴとし、上記全画面動きの中で滞留していないと判定された最小の動きをＶminとし、さらに、上記出力機器における上記代表画像の表示領域の上記全画面動きの方向の長さをＷとして、該表示領域上で最も近接しているシンボル間の距離ｄを、Ｗ＊Ｖmin／（Ｓ＋Ｔ）の式で算出し、該距離ｄに基づいて、上記シンボル間の近接を判定する
請求項８に記載の画像処理装置。
【請求項１６】
上記所定シーンの画像信号を処理し、該所定シーン内の各画面の全画面動きを算出する全画面動き算出部をさらに備え、
上記シンボル描画部は、上記全画面動き算出部で算出された上記所定シーン内の各画面の全画面動きに基づいて、上記代表画像作成部で作成された上記代表画像の周縁部に、全画面動きを示すシンボルを描画する
請求項１に記載の画像処理装置。
【請求項１７】
上記シンボル描画部は、最終画面において、上記代表画像の周縁部の該最終画面に対応した位置に、上記シンボルとして終端シンボルを描画する
請求項５に記載の画像処理装置。
【請求項１８】
上記シンボル描画部は、
上記所定の画面の滞留数が上記Ｎを超えるとき、上記代表画像の周縁部の該所定の画面に対応した位置に、上記滞留シンボルと共に、滞留の順序を示すシンボルを描画する
請求項５に記載の画像処理装置。
【請求項１９】
上記シンボル描画部は、
全画面動き方向が途中で第１の方向から該第１の方向とは逆の第２の方向に変わるとき、
全画面動き方向が上記第１の方向にある各画面に対応した上記シンボルの描画位置と、全画面動き方向が上記第２の方向にある各画面に対応した上記シンボルの描画位置とを、上記第１の方向および上記第２の方向と直交する方向にずらす
請求項４に記載の画像処理装置。
【請求項２０】
所定シーンを構成する各画面の画像をつなぎ合わせた和集合画像を代表画像として作成する代表画像作成ステップと、
上記所定シーン内の各画面の全画面動きに基づいて、上記代表画像作成ステップで作成された上記代表画像の周縁部に、全画面動きを示すシンボルを描画するシンボル描画ステップとを有する
画像処理方法。
【手続補正２】
【補正対象書類名】明細書
【補正対象項目名】０００９
【補正方法】変更
【補正の内容】
【０００９】
この発明の概念は、
所定シーンを構成する各画面の画像をつなぎ合わせた和集合画像を代表画像として作成する代表画像作成部と、
上記所定シーン内の各画面の全画面動きに基づいて、上記代表画像作成部で作成された上記代表画像の周縁部に、全画面動きを示すシンボルを描画するシンボル描画部と
を備える画像処理装置にある。